(57)【要約】    【課題】  ペットにとって餌が食べやすく、餌や水がこぼれにくく、さらに見映えや清潔感に優れるとともに、使い勝手に優れたペット用食器を提供すること。    【解決手段】  餌又は水を入れる餌皿１１と餌皿１１を載置する受台１２とを含んで構成され、受台１２の上端部１２ａに、餌皿１１の下端部１１ａが載置された状態で使用に供されるペット用食器１であって、受台１２の上端部１２ａを含む面が、受台１２を水平面に置いた状態で水平に対して所定の傾きαを有し、餌皿１１の下端部１１ａを含む面が、餌皿１１の上端部１１ｂを含む面に対して、所定の傾きαに相当する傾きを有している。図（ａ）に示した状態から、餌皿11又は受台１２を１８０°回転させて重ね合わせることにより、図（ｂ）に示したように、餌皿１１の上端部１１ｂを含む面の傾きを２αとすることができる。１組の食器により、ペットへの給餌と給水が可能で、かつペットが餌を食べやすい。【選択図】図３
0003104152.tif 000002
【実用新案登録請求の範囲】
【請求項１】
餌又は水を入れる餌皿と該餌皿を載置する受台とを含んで構成され、前記受台の上端部に、前記餌皿の下端部が載置された状態で使用に供されるペット用食器であって、
前記受台の上端部を含む面が、前記受台の底面に対して所定の傾きを有し、
前記餌皿の下端部を含む面が、該餌皿の上端部を含む面に対して、前記所定の傾きに相当する傾きを有していることを特徴とするペット用食器。
【請求項２】
前記受台及び前記餌皿が、平面視円形又は四角形以上の角形であり、前記受台が、下側が広い円錐台形又は角錐台形であることを特徴とする請求項１に記載のペット用食器。
【請求項３】
前記受台に前記餌皿を載置した際に、前記餌皿の上端部が前記受台の底面に対してほぼ平行となる位置で嵌合し、かつ約１８０°回転させた位置で嵌合する位置決め手段を備えていることを特徴とする請求項１又は請求項２記載のペット用食器。
【請求項４】
前記受台の上端部にリング状の餌皿受部を備え、該餌皿受部の内側に収まる大きさの収納用容器を、さらに含んで構成されていることを特徴とする請求項１〜３のいずれかの項に記載のペット用食器。
【請求項５】
前記受台及び前記餌皿のうちの少なくとも１つが、琺瑯製であることを特徴とする請求項１〜３のいずれかの項に記載のペット用食器。
【請求項６】
前記受台、前記餌皿及び前記収納容器のうちの少なくとも１つが、琺瑯製であることを特徴とする請求項４記載のペット用食器。
【請求項７】
琺瑯のガラス質層に、銀イオン又は銅イオンを含むことを特徴とする請求項５又は請求項６記載のペット用食器。
【考案の詳細な説明】
【技術分野】
【０００１】
本考案は、美観に優れ、しかも使い勝手に優れた犬、猫などのペット用食器に関する。
【背景技術】
【０００２】
犬、猫などのペット用食器には、プラスチック製、ステンレス鋼製、アルミニウム製、陶器製等のものがあり、ペットには、餌の他、水も与えなければならないので、１つの容器を給餌と給水に兼用したり、２つの容器を準備して使い分けたりすることが行われている。
【０００３】
通常、猫に対しては、その特性上、室内で給餌、給水されていることが多い。最近、犬などのペットも小型の場合、室内で飼われることが増えてきており、そのような場合には、犬に対しても室内で給餌、給水される。犬、猫などのペットは、摂餌、摂水中に食器の回りに餌や水をこぼすことが多い。その対策として、もっとも手短な方法は、給餌、給水の際に、食器の下にシートを敷くことなどである。
【０００４】
また、餌や水がこぼれるのを防止することができるペット用食器も提案されている。例えば、図７に示したように、外皿１０１と内皿１０２とを設け、内皿１０２に盛った餌がこぼれても外皿１０１で受け止められるようになったペット用食器が提案されている（特許文献１）。この他、食器内の餌が飛び出さないように、皿状容器の上方外周部に餌飛び防止枠を設けた食器なども提案されている（例えば、特許文献２）。
【０００５】
特許文献１や２に開示されているようなペット用食器を用いることによって、餌や水が食器の外にこぼれることをある程度防止できると考えられる。しかし、特に特許文献２に開示されているペット用食器の場合には、餌飛び防止枠が設けられているので、ペットにとって食べやすい食器とは言えない。また、前述のように、ペットに対して室内で給餌や給水を行う場合を考慮すると、上記のペット用食器や現在一般的に利用されているペット用食器は、実用性に重点が置かれており、美観や清潔感まで考慮されているとは言えない。
【特許文献１】特開平１１−３４１９３１号公報
【特許文献２】特開２００３−５２２６４号公報
【考案の開示】
【課題を解決するための手段及び効果】
【０００６】
本考案は、上記課題に鑑みなされたものであって、ペットにとって餌が食べやすく、餌や水がこぼれにくく、さらに見映えや清潔感に優れるとともに、使い勝手に優れたペット用食器を提供することを目的としている。
【０００７】
上記目的を達成するために、本考案に係るペット用食器（１）は、餌又は水を入れる餌皿と該餌皿を載置する受台とを含んで構成され、前記受台の上端部に、前記餌皿の下端部が載置された状態で使用に供されるペット用食器であって、前記受台の上端部を含む面が、前記受台の底面に対して所定の傾きを有し、前記餌皿の下端部を含む面が、該餌皿の上端部を含む面に対して、前記所定の傾きに相当する傾きを有していることを特徴としている。
【０００８】
上記ペット用食器（１）によれば、前記受台の上端部及び前記餌皿の下端部が、それぞれ所定の傾きを有しているので、餌皿の上端部の傾きを、前記受台の底面に対して平行にすることもできるし、上記所定の傾きの２倍の傾きになるように重ねあわせることもできる。したがって、ペットへの給水時には前記餌皿の上端部を前記受台の底面に対して平行な状態で使用することにより水がこぼれにくく、他方給餌には、餌皿の上端部が傾くように使用することができるので、ペットにとって餌が食べやすく、結果的に食器の回りにこぼれる餌を少なくできる。さらに、食器の数が１セットで済むので、使用後の洗浄や収納が楽であり、使い勝手に優れている。また、餌皿と受台のデザインや色彩を自由に選択することができるので、見映えに優れた食器を得ることができる。
【０００９】
また、本考案に係るペット用食器（２）は、上記ペット用食器（１）において、前記受台及び前記餌皿が、平面視円形又は四角形以上の角形であり、前記受台が、下側が広い円錐台形又は角錐台形であることを特徴としている。
上記ペット用食器（２）によれば、前記餌皿及び前記受台が平面視円形又は角形であり、受台が、下側が広い円錐台形又は角錐台形であるので、ペットが摂食する際に動きにくい安定した食器が得られ、しかも全体的に洗練されたデザインとすることができる。
【００１０】
また、本考案に係るペット用食器（３）は、上記ペット用食器（１）又は（２）において、前記受台に前記餌皿を載置した際に、前記餌皿の上端部がほぼ水平となる位置で嵌合し、かつ約１８０°回転させた位置で嵌合する位置決め手段を備えていることを特徴としている。
上記ペット用食器（３）によれば、前記受台と前記餌皿の重ね合わせの変更、すなわち給餌から給水への変更又はその逆を迅速かつ正確に行うことができるので、取り扱い性に優れたものとすることができる。
【００１１】
また、本考案に係るペット用食器（４）は、上記ペット用食器（１）〜（３）のいずれかにおいて、前記受台の上端部にリング状の餌皿受部を備え、該餌皿受部の内側に収まる大きさの収納用容器を、さらに含んで構成されていることを特徴としている。
上記ペット用食器（４）によれば、前記受台内に収まる収納用容器を備えているので、食器の洗浄に用いるスポンジ等の用具を収納することができる。したがって、必要な用具をすぐに取り出せるので、スポンジ等を探し回る手間を減らすことができる。
【００１２】
また、本考案に係るペット用食器（５）は、上記ペット用食器（１）〜（３）のいずれかにおいて、前記受台及び前記餌皿のうちの少なくとも１つが、琺瑯製であることを特徴としている。
上記ペット用食器（５）によれば、前記餌皿及び受台のうちの少なくとも一方が琺瑯製であるので、琺瑯の持つ長所を発揮させることができる。すなわち、琺瑯には、美しい色合いと光沢があるので、美観に優れている。室内などに置いてもインテリアとしての装飾性を持たせることさえ可能である。また、汚れにくく清潔感に優れること、表面が滑らかなため汚れても洗いやすいこと、耐食性・耐久性に優れること、その他保温性、耐熱性等多くの長所がある。したがって、高級感に溢れるとともに、使い勝手のいいペット用食器を得ることができる。
【００１３】
また、本考案に係るペット用食器（６）は、上記ペット用食器（４）において、前記受台、前記餌皿及び前記収納容器のうちの少なくとも１つが、琺瑯製であることを特徴としている。
上記ペット用食器（６）によれば、前記餌皿、受台及び収納用容器のうちの少なくとも一方が琺瑯製であるので、琺瑯の持つ長所を発揮させることができる。すなわち、琺瑯には、美しい色合いと光沢があるので、美観に優れている。室内などに置いてもインテリアとしての装飾性を持たせることさえ可能である。また、汚れにくく清潔感に優れること、表面が滑らかなため汚れても洗いやすいこと、耐食性・耐久性に優れること、その他保温性、耐熱性等多くの長所がある。したがって、高級感に溢れるとともに、使い勝手のいいペット用食器を得ることができる。
【００１４】
また、本考案に係るペット用食器（７）は、上記ペット用食器（５）又は（６）において、琺瑯のガラス質層に、銀イオン又は銅イオンを含むことを特徴としている。
上記ペット用食器（７）によれば、ガラス質層（琺瑯層）に銀イオン又は銅イオンを含むので、これらイオンの抗菌作用により食器表面の雑菌の繁殖が抑えられ、清潔なペット用食器にすることができる。
【００１５】
なお、ペット用食器（１）に記載されている「所定の傾きに相当する傾き」とは、「所定の傾き」と同一の傾き及びそれに近い傾き、例えば、約３°程度の相違まで含むことを意味する。
【考案を実施するための最良の形態】
【００１６】
以下、本考案の実施の形態に係るペット用食器を、図面を参照して説明する。なお、各図面において、共通する部材又は部分には、同じ符号を付すことにする。
図１は、本考案の実施の形態１に係るペット用食器１の外観を示す斜視図である。図１に示したように、ペット用食器１は、餌又は水を入れる餌皿１１と餌皿１１を載置する受台１２とを含んで構成されており、餌皿１１と受台１２との重ね合わせ面Ａが、受台１２を水平面に置いた状態で水平に対して所定の傾きを有している。なお、図１は、餌皿１１の上端部がほぼ水平となるように、受台１２に餌皿１１を重ね合わせた場合、すなわち、ペットに対して給水を行うのに適した重ね合わせ状態を示す図である。
【００１７】
図２は、図１に示したペット用食器１の餌皿１１と受台１２とを分離した状態を示す斜視図である。図２に示したように、受台１２の上端部１２ａを含む面が、受台１２を水平面に置いた状態で、水平に対して所定の傾き（水平に対する角度α）を有している。また、餌皿１１の下端部１１ａを含む面が、餌皿の上端部１１ｂを含む面に対して、所定の傾き（水平に対する角度α）に相当する傾きを有している。したがって、図２に示した状態で、餌皿１１を回転させることなく、そのまま受台１２に重ねた場合には、図１に示したように、餌皿１１の上端部１１ｂがほぼ水平にセットされる。なお、図２に示した突起１２ｆは、餌皿１１の位置決め用の突起である。また、所定の傾き（水平に対する角度α）に関しては、後に説明する。
【００１８】
図３は、ペット用食器１の構造を示す図であり、（ａ）は、図１に示したIII−III切断線における断面図、（ｂ）は、図２（ａ）又は図３（ａ）に示した状態から、餌皿１１を水平方向に１８０°回転させて、受台１２に重ね合わせた状態を示す断面図である。
図３（ａ）から明らかなように、餌皿１１の下端部１１ａを含む面が、上端部１１ｂを含む面に対して、角度αだけ傾いているので、受台１２の上端部１２ａを含む面の角度αと相殺されて、餌皿１１の上端部１１ｂを含む面はほぼ水平になる。この重ね合わせは、餌皿１１の凹部１１ｃに水を入れて、ペットに給水させるのに適した使い方である。
【００１９】
一方、図３（ｂ）に示したように、図２（ａ）又は図３（ａ）に示した状態から、餌皿１１を水平方向に１８０°回転させて受台１２に重ね合わせた場合、餌皿１１の上端部１１ｂを含む面の傾きは、餌皿１１の下端部１１ａを含む面の傾きと、受台１２の上端部１２ａを含む面の傾きが加え合わされて、水平に対する角度２αに相当する傾きとなる。この重ね合わせは、餌皿１１の凹部１１ｃに、餌を入れてペットに給餌するのに適した使い方である。この場合には、ペットが、図３（ｂ）に向かって左側、すなわち、餌皿１１の上端部１１ｂが低い側に位置して摂食すると、食べやすく、餌皿１１の回りに餌がこぼれるのを減らすことができる。
【００２０】
上記の受台１２の上端部１２ａを含む面の所定の傾き（水平に対する角度α）と、餌皿１１の下端部１１ａを含む面の上端部１１ｂを含む面に対する所定の傾き（水平に対する角度α）に相当する傾きとは、同一であることが好ましいが、必ずしも同一である必要はない。餌皿１１の凹部１１ｃに水を入れた際にこぼれにくければいいので、約３°程度の相違があっても差し支えない。また、角度αは、食器を使う対象とするペットの大きさ、食器の大きさなどによって適宜適正な値を選択することが好ましいが、一般的には、約５〜２０°の範囲が好ましく、７〜１５°の範囲がさらに好ましい。
【００２１】
実施の形態１に係るペット用食器１の餌皿１１及び受台１２は、通常のペット用食器に用いられているプラスチック、ステンレス鋼、アルミニウム、陶器等の材料で構成することができる。
【００２２】
また、餌皿１１の凹部１１ｃの形状は、ペットが底に残る餌を食べやすいように、また使用後の洗浄等の後始末がしやすいように、半球形であることがもっとも好ましい。ただし、半球形に限定されるものではない。凹部１１ｃの外側は、上端部１１ｂを介して、筒状の側壁部１１ｄで構成されており、側壁部１１ｄの下端部１１ａには、必要に応じて、内側への折れ返し部１１ｅが設けられている。また、凹部１１ｃと側壁部１１ｄとの間は、空間となっていてもよく、中実であってもよい。
【００２３】
一方、受台１２は、筒状の側壁部１２ｄと、上端部１２ａの餌皿受部１２ｃとを含んで構成されている。受台１２の下端部１２ｂの折れ返し部１２ｅは、必要に応じて設けられるものであり、なくてもよい。また、餌皿受部１２ｃに設けられている突起１２ｆは、餌皿１１を位置決めする手段の１つである。この突起１２ｆが、餌皿１１の下端部１１ａの折れ返し部１１ｅの内側に入るように重ね合わせることによって、ほぼ正確に位置決めすることができる。なお、さらに、優れた位置決め手段に関しては、後に説明する。
【００２４】
また、餌皿１１の側壁部１１ｄ及び受台１２の側壁部１２ｄの外表面には、見映えを良くするために、凹凸などの立体的な模様や図柄などの模様を付けることが好ましい。またそれに合わせて、色彩を選ぶことが好ましい。
【００２５】
図４は、実施の形態２に係るペット用食器２の外観を示す斜視図である。ペット用食器２は、餌皿２１及び受台２２を含んで構成されており、餌皿２１と受台２２とが平面視四角形となっている。ペット用食器２は、外周部の形状が平面視四角形であることを除くと、その他の構成は実施の形態１に係るペット用食器１の場合と同じであるので、重複する説明を省略する。
なお、ペット用食器１の受台１２及びペット用食器２の受台２２は、ペット用食器１、２の安定性の観点から下側が広い円錐台又は角錐台の形状であることが好ましい。
【００２６】
図５は、実施の形態３に係るペット用食器３の構成を示す図であり、（ａ）は分解断面図、（ｂ）は受台の平面図である。実施の形態３に係るペット用食器３は、実施の形態１又は２に係るペット用食器１又は２とほぼ同じ構成であるが、さらに、正確な位置決めができる位置決め手段が設けられている点が相違している。図５（ａ）に示したように、ペット用食器３は、餌皿３１と受台３２とを含んで構成されており、受台３２の上端部３２ａの餌皿受部３２ｃには、受台３２側の位置決め手段である皿状の突起３２ｅ、３２ｅ’が設けられている。また、突起３２ｅ、３２ｅ’は、受台３２の中心Ｃを通り、上端部３２ａを含む面のもっとも傾きの大きい線Ａ−Ａ上に位置している。
【００２７】
一方、餌皿３１の下端部には、受台３２の突起３２ｅ、３２ｅ’に対応する位置に、餌皿側の位置決め手段である孔３１ｅ、３１ｅ’が設けられている。図５に示した状態で餌皿３１を受台３２の上に重ね合わせると、突起３２ｅと孔３１ｅ、突起３２ｅ’と孔３１ｅ’とが嵌合し、図３（ａ）に示した場合と同様に、餌皿３１の上端部３１ｂが水平になる食器となる。また、餌皿３１又は受台３２を、水平に１８０度回転させて重ね合わせると、突起３２ｅと孔３１ｅ’、突起３２ｅ’と孔３１ｅとが嵌合し、図３（ｂ）に示した場合と同様に、餌皿３１の上端部３１ｂが傾いた食器となる。
【００２８】
実施の形態３に係るペット用食器３の場合には、位置決め手段が設けられているので、餌皿３１と受台３２とを正確に、かつ容易に重ね合わせることができる。なお、位置決め手段は、図５に示した態様のものに限定されるものではない。突起と孔の関係は、餌皿側に突起、受台側に孔でもよい。また、突起と孔の形状は、円形でなくてもよく、角形、弓形などでもよい。位置決め手段の位置は、図５（ｂ）に示した中心Ｃを通り、傾きのもっとも大きい中心線Ａ−Ａに対して直角方向の位置に配置されていてもよい。さらに、２個（１対）以外の複数対であってもよい。その場合には、位置決め手段の各対は、中心Ｃに対して点対称で、かつ傾きのもっとも大きい中心線Ａ−Ａに対して線対称の位置に配置することになる。
【００２９】
図６は、実施の形態４に係るペット用食器４を構成する各部を分離して示した斜視図であり、（ａ）は餌皿、（ｂ）は収納用容器、（ｃ）は受台を示す図である。ペット用食器４は、実施の形態１〜３に係るペット用食器１〜３に、さらに、図６に示した収納用容器４３が追加されている。
【００３０】
ペット用食器４の餌皿４１は、ペット用食器１〜３の餌皿１１、２１、３１と同じものでよい。受台４２は、ペット用食器１〜３の受台１２、２２、３２とほぼ同じであるが、収納用容器４３を係止する段差部４２ｆが設けられている点が相違している。
【００３１】
収納用容器４３は、ペット用食器４を洗浄する際に用いられるスポンジなどを収納する容器であり、容器本体部４３ｃ及び容器本体部４３ｃの上端部に設けられたフランジ４３ｂを含んで構成されている。この容器本体部４３ｃが、受台４２の開口部４２ｇの中に入り、収納用容器４３のフランジ４３ｂが、受台４２の段差部４２ｆに乗るようになっている。また、収納用容器４３の底部には、必要に応じて水抜き用の孔（図示省略）を設けてもよい。
【００３２】
収納用容器４３は、餌皿４１、受台４２と同じ材料でもよいが、特に同じである必要はなく、金網状のものなど、用途に応じて適宜選択するのがよい。また、図６に示したフランジ４３ｂと段差部４２ｆによる収納用容器４３の係止手段は１例であり、収納用容器４３を受台４２の開口部４２ｇの中に収めることができれば、別の手段であってもよい。
【００３３】
図に示していないが、実施の形態５に係るペット用食器は、実施の形態１〜３に係るペット用食器１〜３における餌皿１１、２１、３１及び受台１２、２２、３２のうちの少なくとも１つ、又は実施の形態４に係るペット用食器４における餌皿４１、受台４２及び収納用容器４３のうちの少なくとも１つが、琺瑯製となっている。
【００３４】
琺瑯製品は、鋼等の金属材料の表面にガラス質の琺瑯がコーティングされたものであり、様々な長所を有している。実施の形態５に係るペット用食器の場合にも、琺瑯の持つ長所を効果的に発揮させることができる。すなわち、琺瑯には、美しい色合いと光沢があるので、美観に優れたものとなる。室内のインテリアとしての装飾性を持たせることさえ可能である。また、汚れにくく清潔感に優れること、表面が滑らかなため汚れても洗いやすいこと、耐食性・耐久性に優れること、その他保温性、耐熱性等多くの長所がある。したがって、ペット用食器を琺瑯製とすることにより、高級感に溢れるとともに、使い勝手のいいペット用食器を得ることができる。
【００３５】
実施の形態６に係るペット用食器（図示省略）では、実施の形態５に係るペット用食器におけるガラス質層（琺瑯層）に銀イオン又は銅イオンを含む構成となっている。琺瑯層がこれらイオンを含む場合には、これらイオンの抗菌作用により食器表面における雑菌の繁殖が抑えられ、清潔なペット用食器とすることができる。
【図面の簡単な説明】
【００３６】
【図１】本考案の実施の形態１に係るペット用食器の外観を示す斜視図である。
【図２】図１に示したペット用食器の餌皿と受台とを分離させた状態を示す斜視図である。
【図３】ペット用食器１の構造を示す図であり、（ａ）は、図１に示したIII−III切断線における断面図、（ｂ）は、（ａ）に示した状態から、餌皿を水平方向に１８０°回転させて受台に重ね合わせた状態を示す断面図である。
【図４】実施の形態２に係るペット用食器の外観を示す斜視図である。
【図５】実施の形態３に係るペット用食器の構成を示す図であり、（ａ）は分解断面図、（ｂ）は受台の平面図である。
【図６】実施の形態４に係るペット用食器を構成する各部別に分離させて示した斜視図であり、（ａ）は餌皿、（ｂ）は収納用容器、（ｃ）は受台を示す図である。
【図７】従来の技術に係るペット用食器を示す斜視図である。
【符号の説明】
【００３７】
１〜４    ペット用食器
１１、２１、３１、４１  餌皿
１２、２２、３２、４２  受台
１１ａ      下端部
１１ｂ、３１ｂ      上端部
１１ｃ      凹部
１１ｄ      側壁部
１２ａ、３２ａ      上端部
１２ｃ、３２ｃ      餌皿受部
１２ｄ      側壁部
１２ｆ、３２ｅ、３２ｅ’    突起
４３        収納用容器
４３ｂ      フランジ
４２ｆ      段差部
４２ｇ      開口部
【図１】
0003104152.tif 000003
【図２】
0003104152.tif 000004
【図３】
0003104152.tif 000005
【図４】
0003104152.tif 000006
【図５】
0003104152.tif 000007
【図６】
0003104152.tif 000008
【図７】
0003104152.tif 000009